(57)【要約】【課題】野球のバットスイングの練習をするために、伸縮ゴムをバットの先端に取り付け、そのゴムを練習器具本体に固定してスイング矯正を目的としたバットスイング練習器具を提供する。またピッチングの練習の際にも伸縮ゴムを肘サポーターに取り付け、そのゴムを練習器具本体に固定しピッチング矯正を目的とした練習器具を提供する。【解決手段】練習器具本体１に伸縮ゴム２を固定し、そのゴムをバットの先端又は肘サポーターに装着し、バットスイング及びピッチングの練習を行うと、背中から胸（前方）にゴムが巻きつき、体全体とバット及び肘が一体となり、理想的なスイング及びピッチングの軌道を可能とする。【選択図】図１
2010284464.tif 000002
【特許請求の範囲】
【請求項１】
練習器具本体１に固定された伸縮ゴム２を３のストッパーの役目を果たすフックを通し、バットの先端にバットウエイト４を装着し、４に伸縮ゴム２を固定し、取り外し可能なバットと体が一体となる野球スイング矯正練習器具。
【請求項２】
練習器具本体１に固定された伸縮ゴム２を３のストッパーの役目を果たすフックを通し、肘が一定の角度までしか曲がらないように肘の外側部分を切り抜き、肘の内側の布を厚くした肘サポーターに５を装着し、５に伸縮ゴム２を固定し、取り外し可能な肘と背中が一体となる野球ピッチング矯正練習器具。
【発明の詳細な説明】
【技術分野】
【０００１】この発明は野球のバットの先端や投球を行う肘に伸縮するゴムを付け、その伸縮ゴムを体の背中に巻きつくように取り付けて野球のスィングやピッチングを矯正し、正しいフォームを習得できる練習器具に関するものである。
【背景技術】
【０００２】従来の野球のバットスィングの練習器具は、体からバットが離れているものしかなく、練習する者自身でスィングの軌道を修正する意識をしないと軌道修正できないものであった。また、ピッチング練習器具に関しても、フォーム作りのための練習器具は肘や体から離れているものしかなく、一人で練習するには軌道の修正が難しいものであった。
【先行技術文献】
【特許文献】
【０００３】
【特許文献１】特開２００８−０００５１５号公報
【特許文献２】特開２００３−０２４４９２号公報
【発明の概要】
【発明が解決しようとする課題】
【０００４】しかしながら、上記特許文献１にあっては、スイングの軌道を修正するために、振り出したバットをスイングする者自身で意識して、軌道のために作られた侵入口に持っていく必要がある。これは、もっともスイング軌道の練習が必要な野球を始めたばかりの者や子供には特に適さない。
また、特許文献２に関しては、まず練習器具を取り付ける支柱が必要であり、練習の際に場所の確保の問題がある。支柱の前に取り付けた練習器具は、動滑車に取り付けられたゴムをバットに固定して、バットスイングやピッチング練習をするものであるが、腕の位置や体の角度が自由に動かせるので、この練習方法では筋肉は鍛えられても、軌道修正はやはりバットスイングやピッチングをする者の意識が必要である。以上に述べた従来の野球スィング練習器具及びピッチング練習器具では、バットや肘及び体、練習器具が離れており、練習する者が矯正する意識を持ったり、鏡を使用して軌道の確認することが必要であり、野球を始めたばかりの者や子供は指導者に軌道を修正してもらわないとできないものであった。
【課題を解決するための手段】
【０００５】本発明は、このような従来の練習器具が有していた問題を解決しようとするものであり、上記課題の解決をするために、弾力性のサポーターの中央に取り外し可能な伸縮性のあるゴムを固定し、そのサポーターを投げる腕側の肩からもう片方の腕側のわき腹辺りまで斜めに巻きつける。体に装着したサポーターの投げる腕側の肩付近にゴムを通すことができるストッパーの役目をするコの字型のフックを装着し、伸縮ゴムを通す。フックを通したゴムの先端をバットスイングをする際に使用するウエイト等によりバットを固定して、背中とバットが離れず体と一体となる練習器具を形成した。
また、ピッチング練習の際には伸縮ゴムの先に肘サポーターを固定し、投げる側の肘に取り付けて、上記のように伸縮ゴムを取り付けたサポーターを体に固定することにより上記スイング練習器具と同様に肘がゴムと体を密着するように形成した。
【発明の効果】
【０００６】本発明は上記目的を達成するために背中に固定した細長い伸縮ゴムをバットのヘッド（バットの先端）まで伸ばし、ゴムの先端とバットの先端を固定し、バットスイングを始めると構えた位置からインパクト（バットにボールが当る位置）までの間、背中に固定したゴムがバットから離れず、ゴムが背中から前方に巻きつくように体に密着するので、スイング軌道がぶれずに、無意識に自然とバットを振り出すことができ、安定したバットスイングの軌道が保たれる。【０００７】体がゴムと密着することによりバットが体から離れず、最短距離でスイングすることが出来、ヘッド（バットの先端）が下がらずに上からボールを叩くようにスイングの軌道を安定できるものである。また、ピッチング練習に関しても、上記課題を解決するために背中に固定した伸縮ゴムを肘サポーターに取り付け、ピッチング練習の際にゴムが背中から肘に密着するように巻きつき、肘のケガの原因である肘を下げて横から投げることを防ぎ、基本通りに肘を上げて上から投げ下ろすことができる。このように本発明の練習器具は体と密着しているので場所も取らず、一人でも正しいフォームを身につける練習器具である。
【図面の簡単な説明】
【０００８】
【図１】本発明の平面図である
【図２】本発明の断面図及びバット固定具拡大図である
【図３】本発明の後方装着時側面図である
【図４】本発明の前方装着時側面図であ
【図５】本発明の平面図である
【図６】本発明の断面図及び固定具拡大図である
【図７】本発明の後方装着時側面図である
【図８】本発明の前方装着時側面図である
【発明を実施するための形態】
【０００９】以下、本発明の実施の形態を図１〜図８を参照しつつ、詳細に説明すれば図１及び図５は本発明の実施例を表す形態のバットスイング及びピッチング練習器具の平面図を示すが練習器具本体図１及び図５の１の両端の片方にフック状、もう片方にパイル状の布を組み合わせることにより着脱自在になり、利き腕の肩から斜めに逆側の腕の下に回るように一人でも取り付けられるように作られている。フック状、パイル状の材質を本体の両端に取り付けることにより、長さも調節でき、練習器具本体を体に巻きつけた際にしっかりと固定できる。練習器具本体１の中央部分７にもフック状の材質の布を取り付けて２の伸縮性のあるゴムにパイル状の布６を取り付けることにより１の本体と２のゴムを取り外し可能にし、長さも調節も可能である。３はコの字型のフックであり、２のゴムを通した際にストッパー（止め具）の役目を果たし、伸縮ゴム２を前方に押し出すことができる。バットの固定具には４のバットウエイトを使用しており、４のウエイトに２の伸縮ゴムを接着し、バットに装着できるように作られている。
図２は２の伸縮ゴム及び４のバット固定具の拡大図である。２の伸縮ゴムに取り付けられた６と７のフック状とパイル状の布を装着することで取り外し可能になり長さが調節できるようになる。図２の拡大図は４のバット固定具である。バットウエイトを使用することによりバットに容易に装着できるようになる。
図３はバットスイング練習器具の装着時背中方面からの図である。
図４はバットスイング練習器具の装着時胸方面からの図である。
図５はピッチング練習器具の平面図である。２のゴムの先端が５の肘サポーターに固定されている図である。２と５はフック状とパイル状の布を肘サポーターに装着することにより、２と５は取り外し可能になり、２の長さ調節も可能となる。基本的には１の練習器具本体を図１の説明の通り装着して使用する。図１の４のバット固定具の代わりに５の肘サポーターを利き腕の肘に固定して、ピッチング練習できるように作られている。
図６はピッチング練習器具の２の伸縮ゴムの断面図及び５の肘サポーターの拡大図である。５の肘サポーターの形状は肘の外側に切り抜きが入れてある。内側は切抜きを入れずに、図面では裏になっているので見えないが布を厚くして肘があまり曲がらないような形状である。ピッチング練習の際に切り抜きがある肘サポーター５を使用することにより、肘が必要以上に体に近づくことがなく、なおかつ、上記の図１の説明の通り１の練習器具本体を装着することにより、体と肘が離れずに基本通りのピッチング練習方法が可能である。
図７はピッチング練習器具の装着時背中方面から見た図である。
図８はピッチング練習器具の装着時胸方面から見た図である。
【実施例】
【００１０】本発明のかかる練習器具の使用に際しては、先ず、自分にあったトップ（バットを構えた位置）を確認し、ヘッド（バットの先端）から図１の練習器具本体の肩付近に取り付けられているコの字型のフックまで、伸縮ゴムを真っ直ぐに伸ばした状態で取り付け長さを調節してから使用する。トップ（バットを構えた位置）からコの字フックまでゴムが多少張る程度が丁度良い。ゴムの長さ調節してから伸縮ゴムをコの字フック（止め具）を通し本体とゴムを固定する。本体とゴムはフック状とパイル状の布の装着により、容易に取り外し可能で長さ調節も容易にできる。ゴムの長さ調節後、自然にスイングするだけでヘッド（バットの先端）が下がらず、トップ（バットを構えた位置）からインパクト（バットとボールが当る位置）まで、スイングの軌道が最短距離で通り、繰り返し練習することで正しいスイングの癖が出来、理想的なスイングの軌道を可能とする。
また、本発明は図５・図６・図７・図８で示すように、ピッチング練習にも応用できる。図５・図６の５で示した肘サポーターを取り付けることにより、ピッチング練習にも効果がある。これはスイング矯正と同様に肘から背中に伸縮ゴムを巻き付くように取り付けることにより、ピッチングの練習の際に、肘のケガの原因となる横投げを防ぎ、上からボールを投げることができ、自然に正しいピッチングフォームを矯正できるものである。肘に取り付けるサポーターは図６の５のように肘の外側の部分を切り抜き、肘の内側を布で二重に厚みを作り、投球する方の腕を上げた際に必要以上に肘が曲らずに角度を一定に保てるような作りである。従来は肘を曲げやすいように肘の内側に切れ目が入っているサポーターが多いが、従来とは反対側を切り抜き、内側の厚みを増すことにより、肘があまり曲がらずにピッチングや野手のスローイング練習で適度な肘の角度が安定するようになる。
【符号の説明】
【００１１】１  野球練習器具本体
２  伸縮ゴム
３  フック（ストッパー）
４  バット固定具
５  肘サポーター
６  伸縮ゴムの装着布
７  練習器具本体の装着布
【図１】
2010284464.tif 000003
【図２】
2010284464.tif 000004
【図３】
2010284464.tif 000005
【図４】
2010284464.tif 000006
【図５】
2010284464.tif 000007
【図６】
2010284464.tif 000008
【図７】
2010284464.tif 000009
【図８】
2010284464.tif 000010